【手続補正書】
【提出日】平成21年4月17日(2009.4.17)
【手続補正１】
【補正対象書類名】特許請求の範囲
【補正対象項目名】全文
【補正方法】変更
【補正の内容】
【特許請求の範囲】
【請求項１】
動的にゲストデバイスの認証を行なう動的認証方法であって、
第一のデバイス認証システムによってアクセス可能な記憶手段に、ユーザグループ、ユーザデバイスおよび少なくとも一つの物理キーの間の関連付けの第一セットを保持し、
ゲストデバイスを用いた所定のデータサービスの利用に先立って、前記ゲストデバイスとユーザの物理キーとの間の動的関連付けの認証を、第一のデバイス認証システムに対して認証に使用される該物理キーに関する情報を、第一の通信チャネルを介して提供して要求し、
提供される前記物理キーに対応する前記ユーザデバイスを、前記第一のデバイス認証システムが前記関連づけの第一セットに基づいて決定し、
前記第一の通信チャネルと異なる第二の通信チャネルを通じて、決定された前記ユーザデバイスを通じてなされたユーザ認証情報を前記第一のデバイス認証システムで受信し、
前記第一のデバイス認証システムが、前記ユーザ認証情報と前記関連づけの第一セットの情報に基づいて、前記ユーザが前記ゲストデバイスを通じて利用できるデータサービスの少なくとも一方の利用のための認証を行なう
動的認証方法。
【請求項２】
前記物理キーが通信手段を内蔵しており、
前記第一の通信チャネルが前記物理キーに内蔵された前記通信手段により提供される、請求項１に記載の動的認証方法。
【請求項３】
前記ゲストデバイスが第２の通信手段を内蔵しており、
前記第一の通信チャネルが前記ゲストデバイスに内蔵された前記第２の通信手段により提供される、請求項１に記載の動的認証方法。
【請求項４】
前記第一セットは、前記ユーザデバイスの使用時に利用可能なゲストデバイスに関する情報を含み、前記ユーザデバイスと前記ゲストデバイスの関係に基づいて、認証される、請求項１に記載の動的認証方法。
【請求項５】
ゲストデバイスが、固定電話、ボイスオーバＩＰ電話、パーソナルデジタルアシスタント、イネーブルされた音楽プレーヤ、無線送信機、デジタルカメラ、ビデオカメラ、パーソナルミュージックプレーヤ、パーソナルビデオプレーヤ、テレビ、プリンタおよびコンピュータ、の少なくとも一である、請求項１に記載の動的認証方法。
【請求項６】
動的にゲストデバイスの認証を行なう動的認証システムであって、
ユーザグループ、ユーザデバイスおよび少なくとも一つの物理キーの間の関連付けの第一セットを保持する記憶手段と、
ゲストデバイスを用いた所定のデータサービスの利用に先立って、前記ゲストデバイスとユーザの物理キーとの間の動的関連付けの認証を要求する、当該認証に使用される該物理キーに関する情報を第一の通信チャネルを介して受信する第１受信手段と、
前記第１受信手段で受信される前記物理キーに対応する前記ユーザデバイスを前記関連づけの第一セットに基づいて決定する決定手段と、
前記第一の通信チャネルと異なる第二の通信チャネルを通じて、前記決定手段で決定された前記ユーザデバイスを通じてなされたユーザ認証情報を受信する第２受信手段と、
前記第２受信手段により受信された前記ユーザ認証情報と前記関連づけの第一セットの情報に基づいて、前記ユーザが前記ゲストデバイスを通じて利用できるデータサービスの少なくとも一方の利用のための認証を行なう認証手段と、
を備える動的認証システム。
【請求項７】
前記物理キーが通信手段を内蔵しており、
前記第一の通信チャネルが前記物理キーに内蔵された前記通信手段により提供される、請求項６に記載の動的認証システム。
【請求項８】
前記ゲストデバイスが第２の通信手段を内蔵しており、
前記第一の通信チャネルが前記ゲストデバイスに内蔵された前記第２の通信手段により提供される、請求項６に記載の動的認証システム。
【請求項９】
前記第一セットは、前記ユーザデバイスの使用時に利用可能なゲストデバイスに関する情報を含み、前記ユーザデバイスと前記ゲストデバイスの関係に基づいて、認証される、請求項６に記載の動的認証システム。
【請求項１０】
前記ゲストデバイスが、固定電話、ボイスオーバＩＰ電話、パーソナルデジタルアシスタント、イネーブルされた音楽プレーヤ、無線送信機、デジタルカメラ、ビデオカメラ、パーソナルミュージックプレーヤ、パーソナルビデオプレーヤ、テレビ、プリンタおよびコンピュータ、の少なくとも一である、請求項６に記載の動的認証システム。
【請求項１１】
動的にゲストデバイスの認証を行なうようにコンピュータを制御する制御プログラムであって、
ユーザグループ、ユーザデバイスおよび少なくとも一つの物理キーの間の関連付けの第一セットを保持する記憶手段に保持された前記関連付けの第一セットに基づいて、ゲストデバイスを用いた所定のデータサービスの利用に先立って第一の通信チャネルを介して受信される、前記ゲストデバイスとユーザの物理キーとの間の動的関連付けの認証を要求する物理キーに対応する前記ユーザデバイスを決定する命令と、
前記第一の通信チャネルと異なる第二の通信チャネルを介して受信される、決定された前記ユーザデバイスを通じてなされたユーザ認証情報と前記関連づけの第一セットの情報に基づいて、前記ユーザが前記ゲストデバイスを通じて利用できるデータサービスの少なくとも一方の利用のための認証を行なう命令と、
を含む、制御プログラム。
【請求項１２】
前記請求項１の動的認証方法又は請求項６の動的認証システムに用いる物理キー。
【請求項１３】
前記コネクタが、コンタクトベースコネクタおよびコンタクトレスコネクタの少なくとも一である、請求項１２に記載の物理キー。
【請求項１４】
前記物理キーが、提案された前記動的関連付けを伝えるために動作可能な第一の通信リンクを備える、請求項１２に記載の物理キー。
【請求項１５】
前記第一セットは、更に、前記物理キーと当該物理キーの使用時にアクセス可能なデータセットが対応付けられ、
前記物理キーと関連付けられる前記ユーザを決定し、
前記物理キーと関連付けられる少なくとも一の前記データサービスを決定し、
前記ゲストデバイスの動的認証に基づいて、前記データサービスへのユーザアクセスを認証する、
ことを含む、
請求項１に記載の動的認証方法。
【請求項１６】
前記データサービスがコンピュータに含まれる情報のリポジトリである、請求項１５に記載の動的認証方法。
【請求項１７】
前記ユーザ情報およびサービスが、前記物理キー、前記ゲストデバイスおよび遠隔場所、の少なくとも一に位置する、請求項１に記載の動的認証方法。
【請求項１８】
前記ユーザ情報およびサービスが、前記物理キー、前記ゲストデバイスおよび遠隔場所、の少なくとも一に位置する、請求項６に記載の動的認証システム。
【請求項１９】
前記動的関連付けが、認証された前記ユーザデバイスおよび前記物理キーの少なくとも一によってサポートされるセッション識別子が、前記動的関連付けに対応して設定される、請求項１に記載の動的認証方法。
【請求項２０】
前記セッション識別子が、可変である時間間隔で検証される、請求項１９に記載の動的認証方法。
【請求項２１】
確認された前記動的関連付けが、認証された前記ユーザデバイスおよび前記物理キーの少なくとも一によってサポートされるセッション識別子が、前記動的関連付けに対応して設定される、請求項６に記載の動的認証システム。
【請求項２２】
前記セッション識別子が、可変である時間間隔で検証される、請求項２１に記載の動的認証システム。
【請求項２３】
請求項１に記載の動的認証方法により認証されるサービス。
【手続補正２】
【補正対象書類名】明細書
【補正対象項目名】０００７
【補正方法】変更
【補正の内容】
【０００７】
本発明の第１の態様の動的認証方法は、動的にゲストデバイスの認証を行なう動的認証方法であって、第一のデバイス認証システムによってアクセス可能な記憶手段に、ユーザグループ、ユーザデバイスおよび少なくとも一つの物理キーの間の関連付けの第一セットを保持し、ゲストデバイスを用いた所定のデータサービスの利用に先立って、前記ゲストデバイスとユーザの物理キーとの間の動的関連付けの認証を、第一のデバイス認証システムに対して認証に使用される該物理キーに関する情報を、第一の通信チャネルを介して提供して要求し、提供される前記物理キーに対応する前記ユーザデバイスを、前記第一のデバイス認証システムが前記関連づけの第一セットに基づいて決定し、前記第一の通信チャネルと異なる第二の通信チャネルを通じて、決定された前記ユーザデバイスを通じてなされたユーザ認証情報を前記第一のデバイス認証システムで受信し、前記第一のデバイス認証システムが、前記ユーザ認証情報と前記関連づけの第一セットの情報に基づいて、前記ユーザが前記ゲストデバイスを通じて利用できるデータサービスの少なくとも一方の利用のための認証を行なう。
【手続補正３】
【補正対象書類名】明細書
【補正対象項目名】０００８
【補正方法】変更
【補正の内容】
【０００８】
本発明の第２の態様は、第１の態様の動的認証方法であって、前記物理キーが通信手段を内蔵しており、前記第一の通信チャネルが前記物理キーに内蔵された前記通信手段により提供される。
【手続補正４】
【補正対象書類名】明細書
【補正対象項目名】０００９
【補正方法】変更
【補正の内容】
【０００９】
本発明の第３の態様は、第１の態様の動的認証方法であって、前記ゲストデバイスが第２の通信手段を内蔵しており、前記第一の通信チャネルが前記ゲストデバイスに内蔵された前記第２の通信手段により提供される。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
本発明の第４の態様は、第１の態様の動的認証方法であって、前記第一セットは、前記ユーザデバイスの使用時に利用可能なゲストデバイスに関する情報を含み、前記ユーザデバイスと前記ゲストデバイスの関係に基づいて、認証される。
【手続補正１１】
【補正対象書類名】明細書
【補正対象項目名】００１６
【補正方法】変更
【補正の内容】
【００１６】
本発明の第５の態様は、第１の態様の動的認証方法であって、ゲストデバイスが、固定電話、ボイスオーバＩＰ電話、パーソナルデジタルアシスタント、イネーブルされた音楽プレーヤ、無線送信機、デジタルカメラ、ビデオカメラ、パーソナルミュージックプレーヤ、パーソナルビデオプレーヤ、テレビ、プリンタおよびコンピュータ、の少なくとも一である。
【手続補正１２】
【補正対象書類名】明細書
【補正対象項目名】００１７
【補正方法】変更
【補正の内容】
【００１７】
本発明の第６の態様の動的認証システムは、動的にゲストデバイスの認証を行なう動的認証システムであって、ユーザグループ、ユーザデバイスおよび少なくとも一つの物理キーの間の関連付けの第一セットを保持する記憶手段と、ゲストデバイスを用いた所定のデータサービスの利用に先立って、前記ゲストデバイスとユーザの物理キーとの間の動的関連付けの認証を要求する、当該認証に使用される該物理キーに関する情報を第一の通信チャネルを介して受信する第１受信手段と、前記第１受信手段で受信される前記物理キーに対応する前記ユーザデバイスを前記関連づけの第一セットに基づいて決定する決定手段と、前記第一の通信チャネルと異なる第二の通信チャネルを通じて、前記決定手段で決定された前記ユーザデバイスを通じてなされたユーザ認証情報を受信する第２受信手段と、前記第２受信手段により受信された前記ユーザ認証情報と前記関連づけの第一セットの情報に基づいて、前記ユーザが前記ゲストデバイスを通じて利用できるデータサービスの少なくとも一方の利用のための認証を行なう認証手段と、を備える。
【手続補正１３】
【補正対象書類名】明細書
【補正対象項目名】００１８
【補正方法】変更
【補正の内容】
【００１８】
決定手段、認証手段は、プロセッサによって制御されるハードウェアであってもよいし、プロセッサによって実行されるソフトウェアであってもよい。
【手続補正１４】
【補正対象書類名】明細書
【補正対象項目名】００１９
【補正方法】変更
【補正の内容】
【００１９】
本発明の第７の態様は、第６の態様の動的認証システムであって、前記物理キーが通信手段を内蔵しており、前記第一の通信チャネルが前記物理キーに内蔵された前記通信手段により提供される。
【手続補正１５】
【補正対象書類名】明細書
【補正対象項目名】００２０
【補正方法】変更
【補正の内容】
【００２０】
本発明の第８の態様は、第６の態様の動的認証システムであって、前記ゲストデバイスが第２の通信手段を内蔵しており、前記第一の通信チャネルが前記ゲストデバイスに内蔵された前記第２の通信手段により提供される。
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】変更
【補正の内容】
【００２６】
本発明の第９の態様は、第６の態様の動的認証システムであって、前記第一セットは、前記ユーザデバイスの使用時に利用可能なゲストデバイスに関する情報を含み、前記ユーザデバイスと前記ゲストデバイスの関係に基づいて、認証される。
【手続補正２２】
【補正対象書類名】明細書
【補正対象項目名】００２７
【補正方法】変更
【補正の内容】
【００２７】
本発明の第１０の態様は、第６の態様の動的認証システムであって、前記ゲストデバイスが、固定電話、ボイスオーバＩＰ電話、パーソナルデジタルアシスタント、イネーブルされた音楽プレーヤ、無線送信機、デジタルカメラ、ビデオカメラ、パーソナルミュージックプレーヤ、パーソナルビデオプレーヤ、テレビ、プリンタおよびコンピュータ、の少なくとも一である。
【手続補正２３】
【補正対象書類名】明細書
【補正対象項目名】００２８
【補正方法】変更
【補正の内容】
【００２８】
本発明の第１１の態様は、動的にゲストデバイスの認証を行なうようにコンピュータを制御する制御プログラムであって、ユーザグループ、ユーザデバイスおよび少なくとも一つの物理キーの間の関連付けの第一セットを保持する記憶手段に保持された前記関連付けの第一セットに基づいて、ゲストデバイスを用いた所定のデータサービスの利用に先立って第一の通信チャネルを介して受信される、前記ゲストデバイスとユーザの物理キーとの間の動的関連付けの認証を要求する物理キーに対応する前記ユーザデバイスを決定する命令と、前記第一の通信チャネルと異なる第二の通信チャネルを介して受信される、決定された前記ユーザデバイスを通じてなされたユーザ認証情報と前記関連づけの第一セットの情報に基づいて、前記ユーザが前記ゲストデバイスを通じて利用できるデータサービスの少なくとも一方の利用のための認証を行なう命令と、を含む。
【手続補正２４】
【補正対象書類名】明細書
【補正対象項目名】００２９
【補正方法】変更
【補正の内容】
【００２９】
本発明の第１２の態様は、前記請求項１の動的認証方法又は請求項６の動的認証システムに用いる物理キーである。
【手続補正２５】
【補正対象書類名】明細書
【補正対象項目名】００３０
【補正方法】変更
【補正の内容】
【００３０】
本発明の第１３の態様は、第１２の態様の物理キーであって、前記コネクタが、コンタ
クトベースコネクタおよびコンタクトレスコネクタの少なくとも一である。
【手続補正２６】
【補正対象書類名】明細書
【補正対象項目名】００３１
【補正方法】変更
【補正の内容】
【００３１】
本発明の第１４の態様は、第１２の態様の物理キーであって、前記物理キーが、提案さ
れた前記動的関連付けを伝えるために動作可能な第一の通信リンクを備える。
【手続補正２７】
【補正対象書類名】明細書
【補正対象項目名】００３２
【補正方法】変更
【補正の内容】
【００３２】
本発明の第１５の態様は、請求項１に記載の動的認証方法であって、前記第一セットは、更に、前記物理キーと当該物理キーの使用時にアクセス可能なデータセットが対応付けられ、前記物理キーと関連付けられる前記ユーザを決定し、前記物理キーと関連付けられる少なくとも一の前記データサービスを決定し、前記ゲストデバイスの動的認証に基づいて、前記データサービスへのユーザアクセスを認証する、ことを含む。
【手続補正２８】
【補正対象書類名】明細書
【補正対象項目名】００３３
【補正方法】変更
【補正の内容】
【００３３】
本発明の第１６の態様は、第１５の態様の動的認証方法であって、前記データサービス
がコンピュータに含まれる情報のリポジトリである。
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】変更
【補正の内容】
【００３８】
本発明の第１７の態様は、第１の態様の動的認証方法であって、前記ユーザ情報およびサービスが、前記物理キー、前記ゲストデバイスおよび遠隔場所、の少なくとも一に位置する。
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】変更
【補正の内容】
【００４２】
本発明の第１８の態様は、第６の態様の動的認証システムであって、前記ユーザ情報およびサービスが、前記物理キー、前記ゲストデバイスおよび遠隔場所、の少なくとも一に位置する。
【手続補正３８】
【補正対象書類名】明細書
【補正対象項目名】００４３
【補正方法】削除
【補正の内容】
【手続補正３９】
【補正対象書類名】明細書
【補正対象項目名】００４４
【補正方法】変更
【補正の内容】
【００４４】
本発明の第１９の態様は、第１の態様の動的認証方法であって、前記動的関連付けが、認証された前記ユーザデバイスおよび前記物理キーの少なくとも一によってサポートされるセッション識別子が、前記動的関連付けに対応して設定される。
【手続補正４０】
【補正対象書類名】明細書
【補正対象項目名】００４５
【補正方法】変更
【補正の内容】
【００４５】
本発明の第２０の態様は、第１９の態様の動的認証方法であって、前記セッション識別子が、可変である時間間隔で検証される。
【手続補正４１】
【補正対象書類名】明細書
【補正対象項目名】００４６
【補正方法】変更
【補正の内容】
【００４６】
本発明の第２１の態様は、第６の態様の動的認証システムであって、確確認された前記動的関連付けが、認証された前記ユーザデバイスおよび前記物理キーの少なくとも一によってサポートされるセッション識別子が、前記動的関連付けに対応して設定される。
【手続補正４２】
【補正対象書類名】明細書
【補正対象項目名】００４７
【補正方法】変更
【補正の内容】
【００４７】
本発明の第２２の態様は、第２１の態様の動的認証システムであって、前記セッション識別子が、可変である時間間隔で検証される。
【手続補正４３】
【補正対象書類名】明細書
【補正対象項目名】００４８
【補正方法】削除
【補正の内容】
【手続補正４４】
【補正対象書類名】明細書
【補正対象項目名】００４９
【補正方法】変更
【補正の内容】
【００４９】
本発明の第２３の態様は、第１の態様の動的認証方法により認証されるサービスである
。